(57)【特許請求の範囲】
【請求項１】
走行するシートに貼付されるリード片を備えたテープを引き出し供給するリールと、走行するシートに上方から転接し、前記リールから引き出されるテープを前記シートの走行方向に押圧貼付する下流側のタッチロールと、前記リールから引き出されるテープを巻き掛けて、所定の案内経路で前記タッチロールへ案内する複数のガイドロールと、前記テープの案内経路に配設され、前記シートに貼付されたテープの尾端を切断するカッタとを備えたテープの貼付装置において、前記リード片を助走させて前記タッチロールと前記シートの間に送り込む助走送り込み手段を設け、その助走送り込み手段が、３本のロールに巻回したタイミングベルトにリード片を保持する保持具を取り付け、その保持具を斜めに上昇する上昇経路と、その上昇経路の上部の先から垂直に下降する垂直下降経路およびその垂直下降経路の下部の先からタッチロールの入口側へ斜めに下降する傾斜下降経路に沿って助走させてタッチロールと走行するシート間にリード片を送り込む構成とされ、前記カッタを、前記案内経路でテープが巻き掛けられる最後の前記ガイドロールと前記タッチロールとの間に配設し、前記最後のガイドロールを昇降可能とし、前記カッタでテープの尾端を切断する前に下降させるようにしたことを特徴とするテープの貼付装置。
【請求項２】
前記カッタで切断されたテープの前記シートに貼付されない残部を、前記リールに巻き戻す手段を設けた請求項１に記載のテープの貼付装置。
【発明の詳細な説明】
【技術分野】
【０００１】
本発明は、段ボールシート等の走行シートにテープを走行方向へ連続的に貼付するテープの貼付装置に関するものである。
【背景技術】
【０００２】
段ボールシート等のシートで形成した箱には、その内周面を一回りするテープが貼付されることがある。このテープは、刃物を使用することなく箱の上部を切断除去して開口するカットテープや、箱側面の手提げ用孔を補強する補強用テープとして貼付されている。これらのテープは、片面に粘着剤が塗布されたものが用いられ、段ボールシート等のシートを連続して形成する際に、シートの移送ライン上に配置したテープの貼付装置により、シートの片面に連続して貼付されている。
【０００３】
前記テープの貼付装置は、テープを引き出し供給するリールと、走行するシートに上方から転接し、リールから引き出されるテープをシートの走行方向に押圧貼付するタッチロールと、リールから引き出されるテープを巻き掛けて、所定の案内経路でタッチロールへ案内する複数のガイドロールと、テープの案内経路に配設され、シートに貼付されたテープの尾端を切断するカッタとを備えたものが多い。（例えば、特許文献１、２参照）。
【０００４】
このような従来のテープの貼付装置は、カッタが、テープを巻き掛ける最後のガイドロールよりもリール側のテープの案内経路に配設されている。特許文献１に記載されたものでは、カッタが最初と最後の２つのガイドロールの間の案内経路に配設され、特許文献２に記載されたものでは、リールと最初のガイドロールの間の案内経路に配設されている。
【０００５】
【特許文献１】特許第３０５３８１５号公報
【特許文献２】特開２００１−１２９８９８号公報
【発明の開示】
【発明が解決しようとする課題】
【０００６】
特許文献１、２に記載されたように、カッタを最後のガイドロールよりもリール側のテープの案内経路に配設した従来のテープの貼付装置は、走行するシートに貼付されるために高速でリールから引き出されるテープをカッタで切断すると、切断されたテープの尾端部が、切断位置よりもタッチロール側のガイドロールや最後のガイドロールで屈曲する案内経路で、巻き掛けられたガイドロールから跳ね飛ばされるとともに、切断位置からタッチロールまでの距離が長いので、捩れた状態や、幅方向へ歪んだ状態でタッチロールとシートの間に引き込まれ、走行するシートにそのまま貼付される問題がある。このように、テープの尾端部が捩れたり歪んだ状態で貼付されたシートは不良品となる。また、跳ね飛ばされたテープの尾端部が、周辺の機器等に引っ掛かる恐れもある。
【０００７】
そこで、本発明の課題は、カッタで切断されたテープの尾端部が捩れたり歪んだりしないように、走行するシートに安定して貼付できるようにすることである。
【課題を解決するための手段】
【０００８】
上記の課題を解決するために、本発明は、走行するシートに貼付されるリード片を備えたテープを引き出し供給するリールと、走行するシートに上方から転接し、前記リールから引き出されるテープを前記シートの走行方向に押圧貼付する下流側のタッチロールと、前記リールから引き出されるテープを巻き掛けて、所定の案内経路で前記タッチロールへ案内する複数のガイドロールと、前記テープの案内経路に配設され、前記シートに貼付されたテープの尾端を切断するカッタとを備えたテープの貼付装置において、前記リード片を助走させて前記タッチロールと前記シートの間に送り込む助走送り込み手段を設け、その助走送り込み手段が、３本のロールに巻回したタイミングベルトにリード片を保持する保持具を取り付け、その保持具を斜めに上昇する上昇経路と、その上昇経路の上部の先から垂直に下降する垂直下降経路およびその垂直下降経路の下部の先からタッチロールの入口側へ斜めに下降する傾斜下降経路に沿って助走させてタッチロールと走行するシート間にリード片を送り込む構成とされ、前記カッタを、前記案内経路でテープが巻き掛けられる最後の前記ガイドロールと前記タッチロールとの間に配設し、前記最後のガイドロールを昇降可能とし、前記カッタでテープの尾端を切断する前に下降させるようにした構成を採用した。
【０００９】
すなわち、カッタを案内経路でテープが巻き掛けられる最後のガイドロールとタッチロールとの間に配設することにより、テープの切断位置よりもタッチロール側の案内経路に屈曲部をなくすとともに、切断位置からタッチロールまでの距離を短くし、カッタで切断されたテープの尾端部が捩れたり歪んだりしないように、走行するシートに安定して貼付できるようにした。
【００１０】
前記最後のガイドロールを昇降可能とすることにより、テープの尾端を切断する前に最後のガイドロールを下降させて、切断されるテープのタッチロールへの進入角を小さくし、テープの尾端をより安定してシートに貼付することができる。
【００１１】
前記カッタで切断されたテープの前記シートに貼付されない残部を、前記リールに巻き戻す手段を設けることにより、切断されたテープの残部を次回の貼付に有効に使用することができる。
【発明の効果】
【００１２】
本発明のテープの貼付装置は、カッタを案内経路でテープが巻き掛けられる最後のガイドロールとタッチロールとの間に配設することにより、テープの切断位置よりもタッチロール側の案内経路に屈曲部をなくすとともに、切断位置からタッチロールまでの距離を短くしたので、カッタで切断されたテープの尾端部が捩れたり歪んだりしないように、走行するシートに安定して貼付することができる。
【００１３】
前記最後のガイドロールを昇降可能とすることにより、テープの尾端を切断する前に最後のガイドロールを下降させて、切断されるテープのタッチロールへの進入角を小さくし、テープの尾端をより安定してシートに貼付することができる。
【００１４】
前記カッタで切断されたテープのシートに貼付されない残部を、リールに巻き戻す手段を設けることにより、切断されたテープの残部を次回の貼付に有効に使用することができる。
【発明を実施するための最良の形態】
【００１５】
以下、図面に基づき、本発明の実施形態を説明する。このテープの貼付装置は、図１に示すように、走行するシートＡに貼付する接着剤層を有する片面粘着性のテープＢを引き出し供給するリール１と、シートＡに上方から転接し、リール１から引き出されるテープＢをシートＡの走行方向に押圧貼付するタッチロール２と、リール１から引き出されるテープＢを巻き掛けて、所定の案内経路でタッチロール２へ案内する３つのガイドロール３ａ、３ｂ、３ｃと、テープＢの案内経路に配設され、シートＡに貼付されるテープＢの尾端を切断するカッタ４と、案内経路でのテープＢの張力変動を吸収するダンサロール５と、後述するテープＢのリード片Ｃを助走させてタッチロール２とシートＡの間に送り込む助走送り込み手段６とを備えており、カッタ４が最後のガイドロール３ｃとタッチロール２の間の案内経路に配設されている。したがって、カッタ４によるテープＢの切断位置よりもタッチロール２側の案内経路には屈曲部がないとともに、切断位置からタッチロール２までの距離が短くなっている。
【００１６】
前記リール１は切り替え用として上下に２つ設けられ、リール１に巻き付けられたテープＢの外周に転接される一対の駆動ロール７をモータ８でベルト駆動することにより、テープＢが引き出し供給される。駆動ロール７は水平ガイドレール９に沿ってシリンダ１０で進退可能とされるとともに、垂直ガイドレール１１に沿ってシリンダ１２で昇降可能とされており、図１では、使用中の上側のリール１の中心に合わせて昇降位置が位置決めされ、駆動ロール７がシリンダ１０によって、上側のリール１にセットされたテープＢの外周に押し付けられている。
【００１７】
前記各ガイドロール３ａ、３ｂ、３ｃおよびダンサロール５は、いずれもテープＢが巻き掛けられる外周面に溝が形成された溝ロールとされている。最後のガイドロール３ｃは、タッチロール２とシートＡとに近接して、タッチロール２との間でテープＢを屈曲させることなく直線状にシートＡの走行方向へ向けて下向きに傾斜した進入角θで案内するような位置に設けられ、また、カッタ４と共通の昇降架台１３に取り付けられており、シートＡの走行方向へ向けて下向きに傾斜したガイドレール１４に沿って昇降可能とされている。
【００１８】
前記最後のガイドロール３ｃは、２種類のものが１８０°の位相で昇降架台１３のアーム１３ａの途中に軸ピン１５によって枢着され、軸ピン１５の回りに回動されて、使用を切り替えられるようになっている。また、カッタ４はアーム１３ａの先端に取り付けられ、小型のロータリアクチュエータ１６によって、図２に示すように回動され、テープＢを幅方向から切断するようになっている。
【００１９】
図３（ａ）は、前記テープＢの貼付を開始する前の状態を示す。前記テープＢのリード片Ｃを助走させてタッチロール２とシートＡの間に送り込む助走送り込み手段６は、３本のロール１７に巻回したタイミングベルト１８に、リード片Ｃを保持する保持具１９を取り付け、その巻回経路に、斜めに上昇する上昇経路１８ａと、その上部の先から垂直に下降する垂直下降経路１８ｂと、さらにその下部の先から下流側のタッチロール２の入口側へ斜めに下降する傾斜下降経路１８ｃを形成したものである。テープＢの先端が接続されたリード片Ｃは剛性を有し、垂直下降経路１８ｂの上部の待機位置で保持具１９に下向きに保持されている。
【００２０】
図３（ｂ）に示すように、テープＢの貼付開始時には、タッチロール２がシリンダ２ａで下降されてシートＡに転接されるとともに、タイミングベルト１８が駆動され、保持具１９に保持された片面に接着剤層を有するリード片Ｃが、垂直下降経路１８ｂと傾斜下降経路１８ｃを助走したのち、タッチロール２と走行するシートＡの間に送り込まれる。送り込まれたリード片Ｃは保持具１９から抜き取られ、シートＡに転着されてシートＡと一緒に走行し、後続する片面粘着性のテープＢがタッチロール２でシートＡの走行方向に押圧貼付される。
【００２１】
図１に示したように、テープＢが貼付され始めてからしばらくすると、昇降架台１３のアーム１３ａに取り付けられた最後のガイドロール３ｃとカッタ４が、タッチロール２に近づく方向へガイドレール１４に沿ってシートＡの走行方向の下流側へ向けて下降し、テープＢの尾端の切断に備える。このとき、テープＢのタッチロール２への進入角θが小さくなる。
【００２２】
図３（ｃ）に示すように、テープＢの尾端がカッタ４で切断されると、切断位置よりもタッチロール２側の案内経路に屈曲部がないこと、および切断位置からタッチロール２までの距離が短いことに加えて、テープＢのタッチロール２への進入角θが小さいことから、切断されたテープＢの尾端部は、捩れたり歪んだりすることなくタッチロール２と走行するシートＡの間に引き込まれ、安定してシートＡに貼付される。なお、切断されたテープＢのシートＡに貼付されない残部は、駆動ロール７を低速で逆回転させることにより、リール１に巻き戻され、次回の貼付に使用される。
【００２３】
上述した実施形態では、カッタを、回動によってテープを幅方向から切断するものとしたが、カッタは実施形態のものに限定されることはなく、テープを厚み方向から切断するものとしてもよい。
【図面の簡単な説明】
【００２４】
【図１】テープの貼付装置の実施形態を示す切欠き正面図
【図２】図１のカッタを拡大して示す側面図
【図３】ａ、ｂ、ｃは、それぞれ図１の要部の作動を説明する正面図
【符号の説明】
【００２５】
Ａ  シート
Ｂ  テープ
Ｃ  リード片
１  リール
２  タッチロール
２ａ  シリンダ
３ａ、３ｂ、３ｃ  ガイドロール
４  カッタ
５  ダンサロール
６  助走送り込み手段
７  駆動ロール
８  モータ
９  ガイドレール
１０  シリンダ
１１  ガイドレール
１２  シリンダ
１３  昇降架台
１３ａ  アーム
１４  ガイドレール
１５  軸ピン
１６  ロータリアクチュエータ
１７  ロール
１８  タイミングベルト
１８ａ  上昇経路
１８ｂ  垂直下降経路
１８ｃ  傾斜下降経路
１９  保持具
【図１】
0005311182.tif 000002
【図２】
0005311182.tif 000003
【図３】
0005311182.tif 000004